(57)【要約】【課題】本発明は、金属屑分別用アタッチメントに関し、コンクリートガラから金属屑を能率的に取り除くことが課題である。【解決手段】移動自在な旋回腕の先端部に着脱自在に取り付けられる作業用のアタッチメントであって、前記旋回腕４の先端部に連結される枠体５と、該枠体に設けられコンクリートガラに混在する金属屑を吸着する着磁体６と、前記枠体の対向する両縁部に複数個の爪を適宜間隔を置いて開閉自在に列設してなる一対の爪部７，７と、前記一対の爪部を開閉自在に駆動させてコンクリートガラを掬い上げる開閉駆動装置９とからなる金属屑分別用アタッチメント１とする。【選択図】図２
2008019629.tif 000002
【特許請求の範囲】
【請求項１】
移動自在な旋回腕の先端部に着脱自在に取り付けられる作業用のアタッチメントであって、
前記旋回腕の先端部に連結される枠体と、
該枠体に設けられコンクリートガラに混在する金属屑を吸着する着磁体と、
前記枠体の対向する両縁部に複数個の爪を適宜間隔を置いて開閉自在に列設してなる一対の爪部と、
前記一対の爪部を開閉自在に駆動させてコンクリートガラを掬い上げる開閉駆動装置とからなること、
を特徴とする金属屑分別用アタッチメント。
【請求項２】
枠体に回転自在に基部を支持され先端部の爪支持部で爪を着脱自在に保持する腕状の爪支持部材の前記爪支持部には、前記爪の基部を貫通させる貫通孔があり、該貫通孔は前記爪を閉蓋させる方向に孔径が拡径するテーパ状に形成されていること、
を特徴とする請求項１に記載の金属屑分別用アタッチメント。
【発明の詳細な説明】
【技術分野】
【０００１】
本発明は、コンクリート構造物を解体したときに発生するコンクリートガラを粉砕処理機等で粉砕処理して、コンクリート粉砕物を回収しリサイクル等に供する際に、前記コンクリートガラに含まれる鉄筋等の金属屑を前記ガラから分離することで、前記コンクリートガラの粉砕処理を容易にする金属屑分別用アタッチメントに関するものである。
【背景技術】
【０００２】
従来、コンクリート構造物を解体したときに発生するコンクリート破砕物を、コンクリートの回収処理、若しくは、リサイクルのために、コンクリートガラと鉄筋等の金属屑とを分別する装置としては、例えば、従来例１として、コンクリート破砕物を破砕ガラに細割する移動自在なバケット装置と、その破砕ガラを前記バケットから直接にホッパーに投入されて資源材料を分別手段で分別すると共に、前記ホッパーが前記バケットに対応した大きさに形成されて移動自在な分別装置とから構成されるコンクリート粉砕・分別装置が知られている（特許文献１参照）。
【０００３】
また、従来例２として、鉄筋コンクリート廃材を投入するための投入口及び投入された鉄筋コンクリート廃材のコンクリート部分を破砕する一対の破砕ローラからなる破砕手段を少なくとも１組備える破砕処理部を有し、破砕ローラが断面多角形状の柱体であるようにした破砕分離装置が知られている（特許文献２参照）。
【特許文献１】特開２００１−９６２６４号公報
【特許文献２】特開２００４−５００２０号公報
【発明の開示】
【発明が解決しようとする課題】
【０００４】
しかし、従来例１のコンクリート粉砕・分別装置では、分別装置は移動自在ではあるが、破砕ガラ投入用のホッパーがあって、分別用の磁力体と筒状の回転ドラムとがあるので、前記ホッパーには所望粒径に細かくバケットで砕いてから投入する必要があり、また、コンクリートガラをホッパーに投入する際にも、長い鉄筋等が破砕刃に巻き付いたりベルトコンベアを切断したりする不都合がある。前記コンクリートガラと金属屑とを分別する装置においては回転ドラム用の回転駆動装置も必要となり、製作コストも嵩むとともに、移動自在ではあっても使用するときにはその装置の設置場所が必要になり機動的ではない。
【０００５】
前記従来例２の破砕分離装置では、鉄筋コンクリート廃材は、プレキャストコンクリート板やＡＬＣ板（軽量気泡コンクリート板）における、比較的定形のコンクリート廃材を鉄筋部分とコンクリート部分とに分けるものであり、一般的なコンクリート廃材を対象とするものでなく、分別装置として使用できる範囲が限定されている。更に、分別装置としても移動自在ではないので機動性に欠けるものである。近年、バケットに一対の回転破砕刃を１以上備えたものが知られているが、コンクリートガラを破砕する際にも、鉄筋などが混入していると、前記回転破砕刃に絡まって、作業を一旦中止して除去しなければならず、作業能率を悪化させる。このように、コンクリリートガラから鉄筋などの金属屑を容易に分別して除去する装置が望まれている。本発明に係る金属屑分別用アタッチメントは、このような課題を解決するために提案されたものである。
【課題を解決するための手段】
【０００６】
本発明に係る金属屑分別用アタッチメントの上記課題を解決して目的を達成するための要旨は、移動自在な旋回腕の先端部に着脱自在に取り付けられる作業用のアタッチメントであって、前記旋回腕の先端部に連結される枠体と、該枠体に設けられコンクリートガラに混在する金属屑を吸着する着磁体と、前記枠体の対向する両縁部に複数個の爪を適宜間隔を置いて開閉自在に列設してなる一対の爪部と、前記一対の爪部を開閉自在に駆動させてコンクリートガラを掬い上げる開閉駆動装置とからなることである。
【０００７】
また、前記枠体に回転自在に基部を支持され先端部の爪支持部で爪を着脱自在に保持する腕状の爪支持部材の前記爪支持部には、前記爪の基部を貫通させる貫通孔があり、該貫通孔は前記爪を閉蓋させる方向に孔径が拡径するテーパ状に形成されていることを含むものである。
【発明の効果】
【０００８】
本発明の金属屑分別用アタッチメントによれば、自走する移動車両の旋回腕により、コンクリート構造物の解体中に発生するコンクリートガラの山に、前記アタッチメントの爪を食い込ませて、鉄筋等の金属屑とコンクリートガラとを纏めて掬い上げ、電気磁石などの着磁体で金属屑を落ちないように吸着し、枠体を旋回腕で振るうと、一対の爪部の間隙から小さなコンクリートガラが落下し、更に、この爪部を拡開させてコンクリートガラを落とすことで、金属屑だけをコンクリートガラから分別する事ができる。これを何回か繰り返した後に、コンクリートガラをコンクリート破砕機に投入すると、邪魔な鉄筋等の金属屑がないのでスムーズにコンクリート粉砕が遂行される。
【０００９】
また、本発明の金属屑分別用アタッチメントは、枠体に開閉自在な爪部を一対設けていて、アタッチメントをコンクリートガラの上から降ろして、拡開させた一対の爪部でコンクリートガラを両側から閉じて掬い上げるので、バケットのようにコンクリートガラを水平方向の一方側から押し付けて掬い上げるものを使用するよりも、一度で多くのコンクリートガラを纏めて掬い上げることができて、作業能率が向上して、工期短縮となる。バケットタイプでは、爪の交換や爪の数を自由に増減させることができず不便であり、本発明のように、爪部の爪が着脱自在である金属屑分別用アタッチメントでは、そのような不都合はない。  
【００１０】
更に、爪支持部材の爪支持部で着脱自在に保持して、更に、テーパ状の貫通孔を設けることで、爪の交換が容易になり、爪の数も任意に変更することができる。前記テーパ状の貫通孔により爪に負荷を掛ける方向に拡開していて、駆動力を確実に伝達することができる。
【発明を実施するための最良の形態】
【００１１】
本発明に係る金属屑分別用アタッチメント１は、図１に示すように、クローラ２を有した移動自在な走行車両３における、旋回腕４の先端部４ａに着脱自在に取り付けられる作業用のアタッチメントである。
【００１２】
前記アタッチメント１の構成は、図２乃至図４に示すように、前記旋回腕４の先端部４ａに連結される井桁状で金属製の剛性な枠体５と、該枠体５に設けられコンクリートガラに混在する金属屑を磁力により吸着する着磁体６と、前記枠体５の対向する両縁部５ａ，５ｂに複数個の爪７ａを適宜間隔を置いて開閉自在に列設してなる一対の爪部７，７と、前記一対の爪部７，７を腕部８を介して開閉自在に駆動させてコンクリートガラを掬い上げる開閉駆動装置９とからなる。
【００１３】
前記枠体５は、図４に示すように、平面視して、平行で互いに直交する井桁状の両縁部５ａ，５ｂとこれらを連結する枠材５ｃ，５ｃとによって骨格が形成され、前記旋回腕４の先端部４ａに取り付ける取付孔を有した連結部５ｄが前記枠材５ｃ，５ｃに固着されている。
【００１４】
前記連結部５ｄの下部には、図２に示すように、着磁体６が固定されている。この着磁体は、永久磁石若しくは電磁石である。また、前記爪７ａは、回転用腕部８の先端に着脱自在にして固定されている。前記腕部８の基部は、前記枠体５における両縁部５ａ，５ｂに回転自在に支持されている。
【００１５】
前記腕部８は、前記両縁部５ａ，５ｂに平行に設けられ、互いに横架されている連結バー１０で連結されて同時に拡開若しくは閉じるようになっている。そして、前記連結バー１０が、開閉駆動装置９を構成するシリンダ９ｂとピストン９ａとによって、回転軸を中心にして回転されるものである。
【００１６】
図５に示すように、前記枠体５に回転自在に基部を支持され先端部の爪支持部８ａで爪７ａを着脱自在に保持する爪支持部材である腕部８の前記爪支持部８ａには、前記爪７ａの基部７ｂを貫通させる貫通孔８ｂがある。そして、この貫通孔８ｂは前記爪７ａを閉蓋させる方向に孔径が拡径するテーパ状に形成されている。前記爪部７ａの基部７ｂには、ネジ溝が刻設され、前記貫通孔８ｂに挿通させて一端側端面から突出したネジ溝７ｂにネット１１が定着されて、着脱自在に取り付けられるものである。
【００１７】
以上のように、本発明に係るアタッチメント１が形成されており、例えば、前記開閉駆動装置のピストン９ａが伸長すると、対向する一対の爪部７，７が閉じられ、ピストン９ａが後退すると、爪部７，７が拡開する。
【００１８】
前記金属屑分別用アタッチメント１を使用するには、走行車両３をコンクリートガラの山に移動させて、オペレータ室３ａからの操作で、旋回腕４を持ち上げて金属屑分別用アタッチメント１の爪部７，７を大きく開閉させ、着磁体６に電気を導通させて磁石として作用させ、当該金属屑分別用アタッチメント１をコンクリートガラの山の上から、この山に向かって突き刺すように押し込む。
【００１９】
本発明に係る金属屑分別用アタッチメント１は、枠体５を水平状態にして、爪７ａを拡開させて、掴む対象物に対して上から下ろして、前記爪７ａを閉蓋させる、という使用方法である。これに対して、従来のバケットを使用したものでは、分別対象物の山に対して水平方向にバケットを押し込むような使用方法となり、山の奥側を直接取り出して分別する事ができないので、作業能率が悪い。本発明に係る金属屑分別用アタッチメント１によって、コンクリートガラの山の任意の場所を掴ことができるので、分別作業能率が良区なるものである。
【００２０】
そして、前記着磁体６は、爪７ａをコンクリートガラの山に押し込んでから、電気を導通させるようにしてもよく、特に限定するものではない。
【００２１】
そして、開閉駆動装置９であるシリンダー９ｂとピストン９ａとにより、ピストン９ａを伸長させ腕部８を介して爪部７，７を回転させて閉蓋させる。これにより、コンクリートガラが金属屑とともに持ち上げられ、旋回腕４を持ち上げて上下に振動させることで、爪７ａ，７ａ，７ａ，…の間隙からコンクリートガラが振るい落とされる。更に、大きなコンクリートガラを、前記開閉駆動装置９のピストン９ａを後退させて、爪部７，７を拡開させることで、山に落とす。
【００２２】
前記着磁体６には、その吸着力によって鉄筋等の金属屑が吸着され落下することがない。そして、旋回腕４を旋回させて金属屑置き場に移動させ、着磁体６の通電を切断する。これにより、着磁体６に吸着されていた金属屑が落下して、金属屑の山に堆積する。この分別作業を繰り返すことで、前記コンクリートガラの山から、前記金属屑が取り除かれる。よって、その後、コンクリートガラを粉砕処理機のホッパーに投入して、スムーズにコンクリートを粉砕することができるようになる。ホッパーに投入したコンクリートガラには金属屑が混入していないので、粉砕処理機の破砕刃に鉄筋等が巻き付いたり、ベルトコンベア等を切断したりする事がなくなり、粉砕作業能率が向上するものである。
【図面の簡単な説明】
【００２３】
【図１】本発明に係る金属屑分別用アタッチメント１の使用状態斜視図である。
【図２】同本発明の金属屑分別用アタッチメント１の正面図である。
【図３】同本発明の金属屑分別用アタッチメント１の側面図である。
【図４】同本発明の金属屑分別用アタッチメント１の底面図である。
【図５】同本発明の金属屑分別用アタッチメント１における、爪７ａの正面図（Ａ）と、その爪７ａを爪支持部８ａに取り付ける様子を半断面にして示す説明図（Ｂ）である。
【符号の説明】
【００２４】
１          金属屑分別用アタッチメント、
２          クローラ、
３          走行車両、
４          旋回腕、                        ４ａ            先端部、
５          枠体、                          ５ａ，５ｂ      両縁部、
５ｃ        枠材、                          ５ｄ            連結部、
６          着磁体、
７          爪部、                          ７ａ            爪、
８          腕部、                          ８ａ            爪支持部、
８ｂ        貫通孔、
９          開閉駆動雄置、                  ９ａ            ピストン、
９ｂ        シリンダ、
１０        連結バー。
【図１】
2008019629.tif 000003
【図２】
2008019629.tif 000004
【図３】
2008019629.tif 000005
【図４】
2008019629.tif 000006
【図５】
2008019629.tif 000007